(57)【要約】【課題】ノック部材２に梨地調表面処理被膜を構成しても、軸筒３によって梨地調表面処理被膜が削れたり、あるいは、ノック部材２の梨地調表面処理被膜で軸筒３の内面３Ａを削ってしまいノック部材２の梨地調表面に白い粉が付着する恐れがないノック式筆記具に適用できる。【解決手段】軸筒３を合成樹脂で構成し、かつ、ノック部材２に軸筒３より硬い梨地調表面処理被膜を構成する。このノック部材２の梨地調表面処理被膜の上に透明の潤滑被膜を形成する。【選択図】図１
2011110701.tif 000002
【特許請求の範囲】
【請求項１】
軸筒の後端から突出したノック部材を押圧することにより、ボールペンのレフィールを突出したりシャープペンシルの芯を繰り出すノック式筆記具において、軸筒を合成樹脂で構成するとともにノック部材に梨地調表面処理被膜を構成し、この梨地調表面処理被膜を軸筒より硬く構成し、更に、梨地調表面処理被膜の上に透明の潤滑被膜を形成したことを特徴とするノック式筆記具。
【発明の詳細な説明】
【技術分野】
【０００１】
本発明は、ノック部材を押圧することによりボールペンのレフィールを突出したりシャープペンシルの芯を繰り出すノック式筆記具に関するものである。
【背景技術】
【０００２】
従来、ノック部材に梨地調表面処理被膜を構成したノック式筆記具が一般的に知られている。
【０００３】
しかしながら、軸筒を金属で構成した場合には、ノック部材の梨地調表面処理被膜がすぐに削れてしまい非常に外観を損なってしまうものであった。特に、装飾用の塗装や梨地処理を施した部材には擦り傷が発生し易く、また擦り傷が発生すると筆記具においては致命的な欠陥となってしまうということが知られている。（特許文献１参照）
【０００４】
その為、軸筒を合成樹脂で構成するとともに、ノック部材に施す梨地調表面処理被膜を軸筒より硬く構成することが好ましいが、ノック部材に硬質の梨地調表面処理被膜を構成すると、ノックした時にノック部材の梨地表面で合成樹脂製の軸筒を削ってしまいノック部材の梨地表面に削り粉が付着して外観を損なってしまう問題があった。
【先行技術文献】
【特許文献】
【０００５】
【特許文献１】特開２００７−３０３３４号公報
【発明の概要】
【発明が解決しようとする課題】
【０００６】
解決しようとする問題点は、ノック部材の表面に構成した硬質の梨地調表面処理被膜で合成樹脂製の軸筒を削ってしまい、ノック部材の外観を損なってしまう点である。
【課題を解決するための手段】
【０００７】
本発明は、軸筒の後端から突出したノック部材を押圧することにより、ボールペンのレフィールを突出したりシャープペンシルの芯を繰り出すノック式筆記具において、軸筒を合成樹脂で構成するとともにノック部材に梨地調表面処理被膜を構成し、この梨地調表面処理被膜を軸筒より硬く構成し、更に、梨地調表面処理被膜の上に透明の潤滑被膜を形成したことを主要な特徴とする。
【発明の効果】
【０００８】
本発明のノック式筆記具は、硬質の梨地調表面処理被膜を構成したノック部材の表面に透明の潤滑被膜を形成することにより、合成樹脂製の軸筒との滑りが良好となり、ノック部材の梨地調表面処理被膜に削り粉が付着しないノック式筆記具が提供できる利点が得られるものである。
【図面の簡単な説明】
【０００９】
【図１】図１は本発明の実施例１のノック式筆記具を示す主要部拡大部分断面図である。（実施例１）
【図２】図２は、図１のノック式筆記具においてボールペンのレフィールを突出した状態を示す部分断面図である。（実施例１）
【図３】図３は本発明の実施例２のノック式筆記具を示す主要部拡大部分断面図である。（実施例２）
【図４】図４は、図３のノック式筆記具において、シャープペンシルの芯を突出した状態を示す部分断面図である。（実施例２）
【発明を実施するための形態】
【００１０】
ノック部材に梨地調表面処理被膜を構成しても削り粉が付着しないノック式筆記具を実現した。
【実施例１】
【００１１】
以下、図１及び図２に基づいて本発明における実施例１のノック式筆記具を説明する。また、図１の左側を前方とし右側を後方とする。先ず、ボールペンのレフィール１を突出したり没入する出没装置にノック部材２を固着する。このノック部材２は、黄銅、ステンレス、アルミニウム等の金属材で構成され、ノック部材２の後部は後方に向かって細径となるテーパー状に形成されている。このノック部材２の表面に、アクリル、エポキシ、ウレタン、フッ素系、シリコン系の塗料によって焼付けし、梨地調黒色塗装を行って硬質の梨地調表面処理被膜を構成する。あるいは、ノック部材２の表面をサンドブラストや化学処理によって梨地調にし、その上に電解メッキまたは無電解メッキを行うことによって硬質の梨地調表面処理被膜を構成する。また、ノック部材２の表面に、メッキ液中に微粒子やつや消し剤を添加し化学的に梨地調を出す電解メッキあるいは無電解メッキを行って硬質の梨地調表面処理被膜を構成する。更に、ノック部材２の梨地調表面処理被膜の上に透明のフッ素系あるいはシリコン系等の潤滑コートを施して潤滑被膜を形成する。この潤滑被膜はノック部材２の梨地表面の凹凸を埋めてしまうほど厚塗りをしてしまうと梨地調が損なわれる為、梨地の凹凸を損なわない程度の膜厚が好ましい。前記出没装置及びノック部材２は合成樹脂製の軸筒３に内蔵され、ノック部材２の後部は軸筒１の後端から適宜突出している。
【００１２】
このノック式筆記具は、ノック部材２を押圧することにより出没装置が働いてボールペンのレフィール１を突出したり没入したりする。この時、ノック部材２の表面が軸筒３の内面３Ａに接触しながら移動するが、梨地調表面処理被膜を構成した上に潤滑被膜が形成されているので軸筒３の内面３Ａを削ってしまう恐れがない。また、ノック部材２の後部をテーパー状にすることにより軸筒３の内面３Ａと接触する部分が減少される。従って、ノック部材２に削り粉が付着する恐れがなく、外観を損なうことがなくなるものである。
【００１３】
尚、ボールペンのレフィール１を突出したり没入する出没装置は種々の機構が知られているが、ノック部材２を押圧してボールペンのレフィール１を出没する機構であれば本発明の作用効果が得られるものである。
【実施例２】
【００１４】
以下、図３及び図４に基づいて本発明における実施例２のノック式筆記具を説明する。また、図３の左側を前方とし右側を後方とする。先ず、図示していないがチャックを前進することにより芯４を繰り出す芯繰出機構を内蔵したシャープペンシルにおいて、チャックを前進するための押圧部材５に消しゴム６を取り付ける。この消しゴム６を覆うノック部材１２を押圧部材５に着脱可能に嵌合して取り付ける。このノック部材１２は、黄銅、ステンレス、アルミニウム等の金属材で構成され、このノック部材１２の表面に、アクリル、エポキシ、ウレタン、フッ素系、シリコン系の塗料によって焼付けし、梨地調黒色塗装を行って硬質の梨地調表面処理被膜を構成する。あるいは、ノック部材１２の表面をサンドブラストや化学処理によって梨地調にし、その上に電解メッキまたは無電解メッキを行うことによって硬質の梨地調表面処理被膜を構成する。また、ノック部材１２の表面に、メッキ液中に微粒子やつや消し剤を添加し化学的に梨地調を出す電解メッキあるいは無電解メッキを行って硬質の梨地調表面処理被膜を構成する。更に、ノック部材１２の梨地調表面処理被膜の上に透明のフッ素系あるいはシリコン系等の潤滑コートを施して潤滑被膜を形成する。前記芯繰出機構、押圧部材５及びノック部材１２は合成樹脂製の軸筒１３に内蔵され、ノック部材１２の後部は軸筒１３の後端から適宜突出している。
【００１５】
このノック式筆記具は、ノック部材１２を押圧することによりチャックが前進して芯４が繰り出される。この時、ノック部材１２の表面が軸筒１３の内面１３Ａに接触しながら移動するが、梨地調表面処理被膜を構成した上に潤滑被膜が形成されているので軸筒１３の内面１３Ａを削ってしまう恐れがない。従って、ノック部材１２に削り粉が付着する恐れがなく、外観を損なうことがなくなるものである。
【００１６】
尚、本発明は上記実施例に限定されるものではなく、軸筒は複数の部材で構成しても良い。複数の部材で軸筒を構成した場合には、ノック部材が接触する部材のみが合成樹脂で構成されていれば良い。また、実施例２の押圧部材は複数の芯を収納する芯タンクと一体に構成しても良い。更に、ノック部材は金属に限定されるものではなく、合成樹脂で構成しても良い。
【産業上の利用可能性】
【００１７】
ノック部材の表面に梨地加工を施した場合に、削り粉が付着する恐れがないノック式筆記具に適用できる。
【符号の説明】
【００１８】
１  レフィール
２  ノック部材
３  軸筒
４  芯
１２  ノック部材
１３  軸筒
【図１】
2011110701.tif 000003
【図２】
2011110701.tif 000004
【図３】
2011110701.tif 000005
【図４】
2011110701.tif 000006